(57)【特許請求の範囲】
【請求項１】
壁面に設けられた凹所に機能パネルを取り付ける機能パネルの取り付け構造であって、
前記凹所には、該凹所の開口側内側面に固定される固定部と、該固定部に連設され前記開口側に折り曲げ形成された立壁部とを有したパネル受け部材が設けられ、
前記機能パネルには、その裏面から前記固定部と平行となる形で突出し前記立壁部に係止される鉤部を有した引掛け部材が設けられており、
前記パネル受け部材と前記引掛け部材との引掛け部分には、板状ばね部を備え、
前記鉤部を前記立壁部に引掛けて前記機能パネルを前記凹所に取り付ける際に前記板状ばね部のばね力によって前記機能パネルを前記壁面方向に引き寄せた状態で取り付けることを特徴とする機能パネルの取り付け構造。
【請求項２】
請求項１において、
前記板状ばね部が、前記立壁部に設けられていることを特徴とする機能パネルの取り付け構造。
【請求項３】
請求項１において、
前記板状ばね部が、前記鉤部に設けられていることを特徴とする機能パネルの取り付け構造。
【発明の詳細な説明】
【技術分野】
【０００１】
本発明は、壁面に設けられた凹所に機能パネルを取り付ける機能パネルの取り付け構造に関する。
【背景技術】
【０００２】
従来より、パネル体を壁面に取り付ける取付構造は、種々提案されており、例えば、下記特許文献１が挙げられる。
下記特許文献１には、支柱に設けられたパネル支持具の嵌合部に断面が略Ｕ字状のバネ部材を設け、パネルの端部に形成した係止部をバネ部材と嵌合部の他方の側壁との間に挟圧させた状態でパネルをパネル支持具に支持させた構造が開示されている。
【先行技術文献】
【特許文献】
【０００３】
【特許文献１】実公平４−３１９２５号公報
【発明の概要】
【発明が解決しようとする課題】
【０００４】
ところで近年、提案されている住居内の調湿機能や脱臭機能等を有した機能パネルにおいては、室内の空気を循環させるための送風路等の機能部が前板の背面側に突出して設けられたものがみられる。このような機能パネルを壁面の凹所に設ける場合、機能パネルを保持するパネル受け部材の取り付け位置にずれがあると、うまく機能パネルを取り付けられないことがある。
【０００５】
例えば、パネル受け部材の取り付け位置が、凹所の開口側内側面の端部より内方（奥側）に取り付けられた場合は、引掛け部材の引掛け部分がパネル受け部材に係止されず引掛けることができない。またパネル受け部材の取り付け位置が、凹所の開口側の内側面の端部より外方（手前側）、すなわち機能パネルの取付側に取り付けられた場合は、引掛け部材を引掛けやすくはなるが、機能パネルが壁面から浮いて隙間が生じてしまう。
そこでパネル受け部材の取り付け位置が多少ずれても、機能パネルを壁面に沿って隙間なく取り付けられる保持部材が求められる。
【０００６】
上記特許文献１の構造は、係止部がパネルの端部を切り欠いて形成されており、係止部がパネル支持具の嵌合部に平行に沿うように挿入され嵌合される構造としているので、上述のように壁面の凹所に機能パネルを係止する構造には適用できない。
【０００７】
本発明は、上記実情に鑑みてなされたものであり、壁面の凹所に機能パネルを隙間なく取り付けられる機能パネルの取り付け構造を提供することを目的としている
【課題を解決するための手段】
【０００８】
上記目的を達成するために、本発明に係る機能パネルの取り付け構造は、壁面に設けられた凹所に機能パネルを取り付ける機能パネルの取り付け構造であって、前記凹所には、該凹所の開口側内側面に固定される固定部と、該固定部に連設され該固定部よりも前記開口側に折り曲げ形成された立壁部とを有したパネル受け部材が設けられ、前記機能パネルには、裏面から前記固定部と平行となる形で突出し前記立壁部に係止される鉤部を有した引掛け部材が設けられており、前記パネル受け部材と前記引掛け部材との引掛け部分には、板状ばね部を備え、前記鉤部を前記立壁部に引掛けて前記機能パネルを前記凹所に取り付ける際に前記板状ばね部のばね力によって前記機能パネルを前記壁面方向に引き寄せた状態で取り付けることを特徴とする。
【０００９】
また本発明において、前記板状ばね部が、前記立壁部に設けられているものとしてもよい。
さらに本発明において、前記板状ばね部が、前記鉤部に設けられているものとしてもよい。
【発明の効果】
【００１０】
本発明に係る機能パネルの取り付け構造によれば、パネル受け部材の取り付け位置が多少ずれていても、壁面の凹所に機能パネルを隙間なく取り付けることができる。
【図面の簡単な説明】
【００１１】
【図１】（ａ）及び（ｂ）は本発明の第１実施形態に係る機能パネルの取り付け構造を説明するための要部の模式的斜視図である。
【図２】同実施形態に係る機能パネルの取り付け構造を説明するための模式的全体斜視図である。
【図３】図２に対応する模式的横断面図である。
【図４】同実施形態に係る機能パネルの取り付け構造によって壁面の凹所に取り付けられた機能パネルを示す模式的斜視図である。
【図５】（ａ）及び（ｂ）は本発明の第２実施形態に係る機能パネルの取り付け構造を説明するための要部の模式的斜視図である。
【発明を実施するための形態】
【００１２】
以下に本発明の実施の形態について、図面に基づいて説明する。
まずは図１〜図４を参照しながら、第１実施形態に係る機能パネル４の取り付け構造について説明する。
第１実施形態に係る機能パネル４の取り付け構造は、壁面６に設けられた凹所５に機能パネル４を取り付ける構造であって、機能パネル４は、パネル受け部材１と引掛け部材２とによって壁面６の凹所５に取り付けられている。
凹所５には、凹所５の開口側５ａ内側面５１に固定される固定部１０と、固定部１０に連設され固定部１０よりも開口側５ａに折り曲げ形成された立壁部１１とを有したパネル受け部材１が設けられている。
機能パネル４には、機能パネル４の前板４０の裏面から固定部１０と平行となる形で突出し立壁部１１に係止される鉤部２１を有した引掛け部材２が設けられている。
パネル受け部材１と引掛け部材２との引掛け部分には、板状ばね部３を備えているので、鉤部２１を立壁部１１に引掛けて機能パネル４を凹所５に取り付ける際に板状ばね部３のばね力によって機能パネル４を壁面６方向に引き寄せた状態で取り付けることができる。
第１実施形態に係る機能パネル４の取り付け構造においては、板状ばね部３が、立壁部１１に設けられている。
【００１３】
壁面６の凹所５に取り付けられる機能パネル４は、図２及び図４に示すように壁面６に沿って鉛直に立てて設置され、縦長の薄型矩形状に形成されている。
機能パネル４は、排気口４２と吸気口４３とが形成された前板４０と、前板４０の背面側に突出して設けられる機能部４１とを備えている。
前板４０は、凹所５への取付状態において機能部４１を覆い隠すように機能部４１の前面よりも大きく形成されている。
前板４０の上端部側には排気口４２が設けられており、これと離間して下端部側には吸気口４３が設けられている。排気口４２と吸気口４３との間の内部空間を連通するように内部送風路（不図示）が設けられており、この内部送風路は前板４０の背面側に設けられた機能部４１内に形成されている。
前板４０の裏面側端部の所定位置には、パネル受け部材１に引掛けられる複数の引掛け部材２が設けられている（図２参照）。
【００１４】
機能パネル４の構成は、特に限定されるものではないが、吸気口４３の背面側にフィルタやシロッコファンが配置されたものとしてもよく、フィルタは、塵埃等の捕捉性や脱臭性を有した活性炭フィルタとしてもよい。また機能部４１に形成された内部送風路内に、送風方向に開口する多数の中空筒状セルの集合体からなるハニカム状構造体を配設し、セル内に調湿材や脱臭剤等の機能性材料を収容したものとしてもよい。
このように調湿性や脱臭性を有したフィルタを配置したり、上述のような機能性材料が収容されたハニカム状構造体を内部送風路内に配設することにより、吸気口４３から取り込んだ室内の空気の調湿、脱臭をすることができる。また調湿、脱臭された空気は排気口４２から排気させることができる。
またシロッコファンは、機能パネル４の横幅に応じて、左右方向に複数個、設置されており、前方側から吸入した空気を上方に向けて吐出する構成としてもよい。さらに機能パネル４の上方空間には、シロッコファンなどを駆動制御する制御部が配設されたものとしてもよい。
なお、これらシロッコファン、制御部等への給電は、適宜部位の裏面側に引出した図示しない電源コード等を介してなされる。
【００１５】
壁面６は、壁表面材６０と、角柱状の木質材などからなり床面７に対して略垂直に設けられる縦桟５０と、壁下地材６１とを備えている。壁面６の機能パネル４が取り付けられる位置には、凹所５が設けられ、この凹所５は、一対の縦桟５０，５０間に壁表面材６０を設けないことにより形成されている。この一対の縦桟５０，５０の間隔は、機能パネル４の機能部４１の幅方向の寸法に合わせて設定される。
なお、図２では説明のため、機能パネル４の長手方向の寸法に合わせて縦桟５０、壁下地材６１が切断されている状態を示しているが、実際にこれらは床面７から天井面（不図示）まで配されている。そして、壁表面材６０のみが凹所５を形成するように一対の縦桟５０，５０の設置位置及び機能パネル４の寸法に合わせて一部に設けられていない部分を有している。
【００１６】
パネル受け部材１は、鋼材からなる薄板を折り曲げ加工して作製される。
パネル受け部材１は、固定部１０と立壁部１１とが断面略Ｌ字状になるよう略直角に折り曲げ形成されている。
固定部１０には、固定具挿通孔１２が複数形成されており、この固定具挿通孔１２にねじなどの固定具１３が挿通され、凹所５の開口側５ａ内側面５１、具体的には縦桟５０の内側面５１の所定箇所に固着される。
ここでは固定具挿通孔１２が３箇所に形成されている例を示しているが、これに限定されるものではなく、機能パネル４が係止され荷重がかかった状態でも、しっかりと内側面５１にパネル受け部材１が固着されるよう固定具１３が設けられる構成であればよい。
【００１７】
立壁部１１は、固定部１０の端部に連設され、一対の縦桟５，５の向かいあう他方の内側面５１に設けられた立壁部１１と固定部１０よりも開口側５ａで互いに向きあう方向に折り曲げ形成されている。
固定部１０と立壁部１１との折曲部分は図２のＸ部拡大図に示すように略直角に折り曲げ形成する他、湾曲して折り曲げるようにしてもよく、前板４０の裏面端部に設けられた引掛け部材２の鉤部２１が引掛けられるよう構成されている。
【００１８】
図１（ａ）及び（ｂ）に示すように立壁部１１には、板状ばね部３が設けられている。
図１（ａ）は立壁部１１に鉤部２１が係止される前の状態を示しており、図１（ｂ）は立壁部１２に鉤部２１が係止されている状態を示している。
板状ばね部３はバネ性を有する板状の鋼材からなり、立壁部１１に設けられた際には中央部３２が突出するように山型に折り曲げ形成されている（図１（ａ）参照）。
板状ばね部３の上端部３０は、立壁部１１の上端部にネジ止めや溶接等によって固着される。また下端部３１は、中央部３２に鉤部２１が係止され押圧されたときに板状ばね部３が変形して下方へ移動するよう立壁部１１には固着されていない自由端となっている（図１（ｂ）参照）。
山型の中央部３２の取付状態における突出出幅は、鉤部２１の取付状態における突出出幅より大とすることが望ましい。これによれば、例えばパネル受け部材１の取り付け位置に前後方向の多少のずれがあっても、板状ばね部３の中央部３２が突出しているので鉤部２１に係止されやすく、板状ばね部３による機能パネル４を引き寄せる力の作用を効果的に発揮させることができる。
【００１９】
機能パネル４の裏面に設けられる引掛け部材２は、金属材などからなり、機能パネル４の前板４０裏面に固着される固着部２０と、裏面から固定部１０と略平行となる形で突出し立壁部１１に係止される鉤部２１とを備えている。
鉤部２１は、上述のように固定部１０と略平行、言い換えると固着部２０から略直交方向に突出して設けられ、図２のＹ部拡大図に示すように上から下に向かって曲がったような鉤状に板状体の一部切り欠いて形成されている。このとき、パネル受け部材１の取り付け位置が、例えば凹所５の開口側５ａ内側面５１の端部より内方（奥側）に取り付けられた場合でも、鉤部２１が立壁部１１に引掛けられるように鉤部２１の引掛け部分となる切欠き部分２１ａが大きく形成されている。
【００２０】
引掛け部材２の前板４０の裏面への固着方法は、ねじ止めまたは溶接等、特に限定されるものではないが、ここでは固着部２０に固定具挿通孔２２を設け、固定具２３で固着される例を示している。
このように引掛け部材２をパネル受け部材１に引掛けて保持するものとすれば、機能パネル４の着脱がしやすく、取付施工後も容易に取り外すことができる。
従って、機能パネル４施工後のメンテナンスがし易い。
【００２１】
以上の構成によれば、立壁部１１に板状ばね部３が設けられているので、鉤部２１を立壁部１１に引掛けて機能パネル４を凹所５に取り付ける際に、板状ばね部３のばね力によって機能パネル４を壁面６方向に引き寄せた状態で取り付けることができる。
すなわち、板状ばね部３の中央部３２に鉤部２１が係止されると中央部３２が前板４０側に弾性的に押圧され、その結果、下端部３１が下方に移動するとともに板状ばね部３が元の形状に戻ろうとするバネの復元弾力が生じる。
従って、中央部３２への鉤部２１の押圧状態に応じて板状ばね部３が上下動し、機能パネル４の前板１１と壁表面材６０との間に隙間が生じることなく機能パネル４を凹所５に取り付けることができる。
【００２２】
また上述のように鉤部２１の切欠き部分２１ａが大きく形成されているものとすれば、例えばパネル受け部材１の取り付け位置が凹所５の開口側５ａ内側面５１の端部より内方（奥側）に取り付けられた場合でも、鉤部２１の引掛け部分がパネル受け部材１に届かず引掛けることができないということにならない。例えばパネル受け部材の取り付け位置が、凹所５の開口側５ａ内側面５１の端部より外方（手前側）、すなわち機能パネル４の取付側に取り付けられた場合でも、板状ばね部３の上述の作用により機能パネル４が壁面６から浮いて隙間が生じてしまうことなく、機能パネル４を壁面６方向に引き寄せた状態で取り付けることができる。
また全ての鉤部２１，２１，２１，２１，２１，２１が対応する全ての固定部１０，１０，１０，１０，１０，１０に当接する位置として引掛け部材２，２，２，２，２，２，を機能パネル４に固着すれば、機能パネル４がぐらつかず正確に位置決めされた状態で壁面６に取り付けできる。
【００２３】
なお、ここでは、一対の縦桟５０，５０のそれぞれに３個ずつ、計６個のパネル受け部材１を設けた例を示しており、これにあわせて引掛け部材２が機能パネル４の前板４０の裏面に６個設けられた例を示している。しかしながら、パネル受け部材１及び引掛け部材２が設けられる個数は図例に限定されるものではなく、機能パネル４の大きさやその重量等に応じて適宜設けることができる。
【００２４】
次に図を参照しながら、機能パネル４の取付施工手順の一例についてその概略を説明する。
まず、パネル受け部材１の固定部１０を凹所５の開口側５ａ内側面５１に取り付け固定する。具体的には、固定部１０の固定具挿通孔１２に固定具１３を挿通させてねじ固定することにより、固定部１０を内側面５１に固着することができる。このとき、図２のＸ部拡大図に示すように立壁部１１が壁表面材６０の表面から突出しすぎないよう略面一になるように取り付けることが望ましい。
同じ要領で複数のパネル受け部材１を順に内側面５１に取り付けていく。このとき、パネル受け部材１の取り付け位置は、機能パネル４に固着された引掛け部材２の取り付け位置に対応するように設定される。ここで立壁部１１に板状ばね部３が設けられており、上述のように板状ばね部３のばね力によって、機能パネル４を壁面６方向に引き寄せた状態で取り付けることができるので、パネル受け部材１の取り付け位置に前後方向の多少のずれがあっても支障がない。
【００２５】
一方、機能パネル４の前板４０の裏面には立壁部１１に鉤部２１が係止可能な位置に複数の引掛け部材２を順に固着しておく。
次に機能パネル４を略鉛直に立てて（図２参照）上方へ少し持ち上げ、引掛け部材２のそれぞれをパネル受け部材１の立壁部１１のそれぞれに引掛け、その状態で機能パネル４を下方にスライドさせる。すると、図４に示すように壁面６に機能パネル４を取付施工することができる。
【００２６】
以上の構成によれば、パネル受け部材１の取り付け位置が多少ずれていても、板状ばね部３のばね力によって機能パネル４を壁面６方向に引き寄せた状態で取り付けることができる。
従って、壁面６の凹所５に機能パネル４を取り付けた際に前板４０と壁表面材６０との間に隙間が生じることなく取り付けることができる。
また一対の縦桟５０，５０の間に前板４０の背面から突出した機能部４１を収めることができる（図３参照）。
従って、機能パネル４を収まりよくそして見栄えよく壁面６に保持することができる（図４参照）。
【００２７】
次に図５を参照しながら、第２実施形態に係る機能パネル４の取り付け構造について説明する。
なお、共通する部分には共通の符号を付し、共通する部分の説明は省略する。
第２実施形態に係る機能パネル４の取り付け構造においては、引掛け部材２の鉤部２１に板状ばね部３が設けられている点が第１実施形態と異なる。
【００２８】
図５（ａ）は立壁部１１に鉤部２１が係止される前の状態を示しており、図５（ｂ）は立壁部１１に鉤部２１が係止されている状態を示している。
図５（ａ）及び（ｂ）に示すように引掛け部材２の鉤部２１には、板状体の一部を鉤状に切り欠いて鉤部２１を形成するとともに、固着部２０と略平行となる方向に取付片２４が形成されており、この取付片２４に板状ばね部３が固着されている。
取付片２４への板状ばね部３の固着方法は、ねじ止めまたは溶接等、特に限定されるものではない。
なお、鉤部２１の切欠き部分２１ａが大きく形成されている点や板状ばね部３がバネ性を有する板状の鋼材からなり、取付片２４に設けられた際には中央部３２が突出するように山型に折り曲げ形成されている（図５（ａ）参照）点は、第１実施形態と同様である。
【００２９】
板状ばね部３の上端部３０は、取付片２４の上端部にネジ止めや溶接等によって固着される。また下端部３１は、鉤部２１が立壁部１１に係止され押圧されたときに板状ばね部３が変形して下方へ移動するよう取付片２４には固着されていない自由端となっている（図５（ｂ）参照）。
板状ばね部３を鉤部２１に設けた場合も、第１実施形態と同様に、鉤部２１を立壁部１１に引掛けて機能パネル４を凹所５に取り付ける際に、板状ばね部３のばね力によって機能パネル４を壁面６方向に引き寄せた状態で取り付けることができる。
またパネル受け部材１の取り付け位置が多少ずれていても、壁面６の凹所５に機能パネル４を隙間なく取り付けることができる。
【００３０】
なお、本実施形態では、パネル受け部材１及び引掛け部材２によって調湿機能や脱臭機能を備えた機能パネル４が壁面６の凹所５に取り付けられる例について説明したが、機能パネル４の形状や構成等は上述の例に限定されず、前板４０の背面側に機能部４１を備えたようなパネルの取り付け構造として好適に採用される。
またパネル受け部材１、引掛け部材２の形状や構成等も図例に限定されるものではない。
【符号の説明】
【００３１】
１        パネル受け部材
１０      固定部
１１      立壁部
２        引掛け部材
２１      鉤部
３        板状ばね部
４        機能パネル
５        凹所
５ａ      開口側
５１      内側面
６        壁面
【図１】
0005386432.tif 000002
【図２】
0005386432.tif 000003
【図３】
0005386432.tif 000004
【図４】
0005386432.tif 000005
【図５】
0005386432.tif 000006